(57)【要約】【課題】  同軸ケーブルの外部導体を折り返した状態で差し込んで、外周から径方向内側に向かって全体を圧縮するようにかしめ固定し、電気的、機械的に強固に接続することができる同軸コネクタを提供すること。【解決手段】  一端が他の同軸コネクタに接続される構造で、他端が同軸ケーブルに接続されるフェルールである同軸コネクタにおいて、前記フェルール２０は、同軸ケーブル１０の外部導体１３を前記同軸ケーブルの外皮１４上に折り返した状態で差し込める内径を持つケーブル穴を有する第１の部分２１と、前記ケーブル穴に対応する外周位置に径方向に突出した突出部を有する第２の部分２２とをそなえたことを特徴とする同軸コネクタ。【選択図】  図１
0003107569.tif 000002
【実用新案登録請求の範囲】
【請求項１】
一端が他の同軸コネクタに接続される構造で、他端が同軸ケーブルに接続されるフェルールである同軸コネクタにおいて、
前記フェルールは、同軸ケーブルの外部導体を前記同軸ケーブルの外皮上に折り返した状態で差し込める内径を持つケーブル穴を有する第１の部分と、前記ケーブル穴に対応する外周位置に径方向に突出した突出部を有する第２の部分とをそなえた
ことを特徴とする同軸コネクタ。
【請求項２】
請求項1記載の同軸コネクタにおいて、
前記外周部の径方向突出長は、前記第1の部分とともの前記第2の部分を外周から内周に向かってかしめたときに前記ケーブル穴内に形成すべき段差に応じたものであることを特徴とする同軸コネクタ。
【請求項３】
請求項1記載の同軸コネクタにおいて、
前記第２の部分は、前記第１の部分の何れかの部分に設けられたものであることを特徴とする同軸コネクタ。
【請求項４】
請求項１記載の同軸コネクタにおいて、
前記突出部は、前記フェルールの周方向に連続して突出していることを特徴とする同軸コネクタ。
【請求項５】
請求項１記載の同軸コネクタにおいて、
前記突出部は、前記フェルールの周方向に分散配置されたことを特徴とする同軸コネクタ。
【考案の詳細な説明】
【技術分野】
【０００１】
本考案は、同軸コネクタに係わり、とくに同軸ケーブルとの固定構造に関する。
【背景技術】
【０００２】
同軸コネクタには、同軸ケーブルに接続するものがある。この種の同軸コネクタは、同軸ケーブルの内外導体間にある絶縁体とその外側にある外部導体との間にフェルールを差し込んで、外皮の上からカシメリングでかしめてケーブルとの接続および固定を行っている。
【考案の開示】
【考案が解決しようとする課題】
【０００３】
この方法は、同軸ケーブルの径が大きい場合は問題がないが、２Ｃと呼ばれるような細い同軸ケーブルの場合、フェルールの径をかなり細くする必要があり、芯線ピンの接続作業がし難いという問題がある。
【０００４】
本考案は上述の点を考慮してなされたもので、同軸ケーブルの外部導体を折り返した状態で差し込んで、外周から径方向内側に向かって全体を圧縮するようにかしめ固定し、電気的、機械的に強固に接続することができる同軸コネクタを提供することを目的とする。
【課題を解決するための手段】
【０００５】
上記目的達成のため、本考案では、
一端が他の同軸コネクタに接続される構造で、他端が同軸ケーブルに接続されるフェルールである同軸コネクタにおいて、
前記フェルールは、同軸ケーブルの外部導体を前記同軸ケーブルの外皮上に折り返した状態で差し込める内径を持つケーブル穴を有する第１の部分と、前記ケーブル穴に対応する外周位置に径方向に突出した突出部を有する第２の部分とをそなえた
ことを特徴とする同軸コネクタ、
を提供することを目的とする。
【考案の効果】
【０００６】
本考案は上述のように、フェルールにおけるケーブル穴の内径を同軸ケーブルの外部導体をその外皮上に折り返した状態で差し込める大きさにし、ケーブル穴に対応する外周位置に径方向に突出した突出部を設けたため、この突出部を含めてフェルール全体をカシメリングでかしめると、突出部は突出分だけ余分に同軸ケーブルに向って径方向内方に押し込まれる。この結果、突出部の突出長に対応してフェルールが同軸ケーブルに食い込んでしっかりと接続される。
【考案を実施するための最良の形態】
【０００７】
以下、添付図面を参照して本考案の実施例を説明する。
【実施形態１】
【０００８】
図１は、本考案の１実施例を同軸ケーブルに接続する状態を示す断面図である。同軸ケーブル１０は、内部導体１１、絶縁体１２、外部導体(編組)１３および外皮１４により構成されており、この端部に同軸コネクタのフェルール２０が嵌装される。
【０００９】
フェルール２０は、円筒状をなし中心部にケーブル穴を有する第１の部分２１、この第１の部分の端部(図示右端)に形成された径方向外方に突出する鍔状の第２の部分２２を有し、図示左端部分に形成されたコネクタ部分２３は同軸コネクタの外部導体を兼ねる。フェルール２０の第１の部分は、同軸ケーブル１０の外部導体１３を外皮１４の上に折り返した状態で差し込めるだけの内径を持っている。
【００１０】
したがって、同軸ケーブル１０は、外皮１４を除去して外側導体１３を外皮１４上に折り返した状態で、フェルール２０のケーブル穴内に挿入することができる。
【００１１】
同軸ケーブル１０の所定位置にフェルール２０を嵌装したら、かしめ治具３０をフェルール２０の所定位置に設定してかしめる。これにより、フェルール２０が同軸ケーブル１０の外周に圧接される。
【００１２】
図２は、かしめ作業後の同軸ケーブル１０およびフェルール２０の接続関係を示す断面図である。フェルール２０は、かしめ治具３０によるかしめ作業により径方向内方に押圧されて変形し、同軸コネクタ１０の外周に食い込んだ状態となっている。
【００１３】
すなわち、フェルール２０の第１の部分２１に対して第２の部分２２が径方向内方に圧縮され、それに応じて同軸ケーブル１０の外部導体１３および外皮１４が絶縁体１２に押し込まれており、この押し込まれた部分が段差を形成している。
【００１４】
この押し込み量は、第２の部分２２が、第１の部分２１に対して径方向外方に突出していた高さに対応するもので、かしめ治具３０の内周面で押圧されて圧縮された量である。したがって、第２の部分２２の径方向外方への突出量は、かしめ後に形成すべき段差の大きさにより定めればよい。
【００１５】
図３(a),(b)および図４(a),(b)は、図１に示された状態に至るまでの一連の工程を示す工程図である。図３(a)は、フェルール２０の同軸ケーブル挿入側を示しており、第１部分２１の手前に第２部分２２があり、背後にコネクタ部分２３がある。
【００１６】
図３(b)は、このフェルール２０に対して、同軸ケーブル１０を挿入する寸前の状態を示している。同軸ケーブル１０の内部導体１１をフェルール２０の軸１に合わせて挿入する。
【００１７】
図４(a)は、同軸ケーブル１０をフェルール２０の所定位置まで挿入した状態を示している。この状態では、折り返された外部導体１３の端部がフェルール２０の第２部分２２の手前に露出している。
【００１８】
図４(b)は、図４(a)に示された状態にある同軸ケーブル１０およびフェルール２０を上下からプレス３０によりかしめる直前の状態、すなわち図１に示された状態を表している。
【００１９】
(変形例)
上記実施例では、フェルール２０の第２部分は、周方向に連続したリング形状であるが、突起を周方向に分散配置した形状とし、かしめによりそれら突起が各別に同軸ケーブル１０の外周面に食い込むように構成してもよい。その場合、突起の形状は円形、方形、矩形等の種々のものとすることができ、細長い場合には、向きを軸線方向に対して斜めに傾けることもできる。
【図面の簡単な説明】
【００２０】
【図１】本考案の一実施例の構成を示す縦断面図。
【図２】図１の状態からかしめ治具を用いてかしめた後の状態を示す縦断面図。
【図３】図３(a),(b)は、図１の状態に至る工程の最初の２工程を示す斜視図。
【図４】図４(a),(b)は、図３の状態に続く２工程を示す斜視図。
【符号の説明】
【００２１】
１０  同軸ケーブル、１１  内部導体、１２  絶縁体、１３  外部導体、
１４  外皮、２０  フェルール、２１  第１部分、２２  第２部分、
２３  コネクタ部分、３０  プレス。
【図１】
0003107569.tif 000003
【図２】
0003107569.tif 000004
【図３】
0003107569.tif 000005
【図４】
0003107569.tif 000006